(57)【要約】【課題】発光素子交換時のユーザによる煩雑なスイッチ操作等を不要とする。【解決手段】光源となるランプ18と、ランプ18からの光を用いて光像を形成し、投影対象に向けて照射する投影系14〜17，19〜22と、ランプ18の累積点灯時間を更新記憶するプログラムメモリ30と、ランプ18の経時変化を示す指標情報として発光輝度を検出する輝度センサ25と、投影動作停止時に輝度センサ25で検出した指標情報を記憶するプログラムメモリ30と、輝度センサ25で検出する発光輝度と、前回の発光輝度とを比較し、その比較結果と予め用意されるしきい値との関係からランプ18の交換を判断してランプ18の累積点灯時間をリセットするＣＰＵ28、メインメモリ29及びプログラムメモリ30とを備える。【選択図】      図１
2009223230.tif 000002
【特許請求の範囲】
【請求項１】
光源となる発光素子と、
上記発光素子からの光を用いて光像を形成し、投影対象に向けて照射する投影手段と、
上記発光素子の累積点灯時間を更新記憶する時間記憶手段と、
上記発光素子の経時変化を示す指標情報を検出する検出手段と、
投影動作停止時に上記検出手段で検出した指標情報を記憶する指標記憶手段と、
上記検出手段で検出する指標情報と、上記記憶手段で記憶した指標情報とを比較し、その比較結果と予め用意される所定値との関係から上記発光素子の交換を判断する判断手段と、
上記判断手段での判断結果により上記時間記憶手段の記憶内容をリセットする記憶制御手段と
を具備したことを特徴とする投影装置。
【請求項２】
上記検出手段は、上記発光素子の経時変化を示す指標情報として発光素子の発光輝度を検出することを特徴とする請求項１記載の投影装置。
【請求項３】
上記検出手段は、上記発光素子の経時変化を示す指標情報として発光素子の駆動電流を検出することを特徴とする請求項１記載の投影装置。
【請求項４】
上記検出手段は、上記発光素子の経時変化を示す指標情報として発光素子の駆動電圧を検出することを特徴とする請求項１記載の投影装置。
【請求項５】
光源となる発光素子と、上記発光素子からの光を用いて光像を形成し、投影対象に向けて照射する投影部とを備えた投影装置の制御方法であって、
上記発光素子の累積点灯時間を更新記憶する時間記憶工程と、
上記発光素子の経時変化を示す指標情報を検出する検出工程と、
投影動作停止時に上記検出工程で検出した指標情報を記憶する指標記憶工程と、
上記検出工程段で検出する指標情報と、上記記憶工程で記憶した指標情報とを比較し、その比較結果と予め用意される所定値との関係から上記発光素子の交換を判断する判断工程と、
上記判断工程での判断結果により上記時間記憶工程で記憶内容をリセットする記憶制御工程と
を有したことを特徴とする投影装置の制御方法。
【請求項６】
光源となる発光素子と、上記発光素子からの光を用いて光像を形成し、投影対象に向けて照射する投影部とを備えた投影装置が内蔵するコンピュータが実行するプログラムであって、
上記発光素子の累積点灯時間を更新記憶する時間記憶ステップと、
上記発光素子の経時変化を示す指標情報を検出する検出ステップと、
投影動作停止時に上記検出ステップで検出した指標情報を記憶する指標記憶ステップと、
上記検出ステップ段で検出する指標情報と、上記記憶ステップで記憶した指標情報とを比較し、その比較結果と予め用意される所定値との関係から上記発光素子の交換を判断する判断ステップと、
上記判断ステップでの判断結果により上記時間記憶ステップで記憶内容をリセットする記憶制御ステップと
をコンピュータに実行させることを特徴とするプログラム。
【発明の詳細な説明】
【技術分野】
【０００１】
本発明は、光源に高圧水銀灯などの発光素子を用いるプロジェクタに好適な投影装置、投影装置の制御方法及びプログラムに関する。
【背景技術】
【０００２】
投射型画像表示装置で、使用時間により特性が劣化する光源ランプ等の消耗部品の交換時のリセット操作を適正に行なうべく、例えば以下の特許文献１のような技術が考えられている。
【特許文献１】特開２００５−２９２２０６号公報
【発明の開示】
【発明が解決しようとする課題】
【０００３】
上記特許文献１に記載された技術では、実際に消耗部品の交換を行なったときのみ、それを正確に判定して当該消耗部品の累積使用時間の記憶内容に対してのユーザのリセットを可能とする。したがって、ユーザによる誤まったリセット操作を防ぐことはできるものの、ユーザがリセット操作を行なうのを忘れた場合には対処することができず、累積使用時間はリセットされないままに、新しい消耗部品の累積使用時間をさらに更新設定していくことになる。
【０００４】
本発明は上記のような実情に鑑みてなされたもので、その目的とするところは、消耗部品である発光素子の交換時にユーザによる煩雑なスイッチ操作等を不要とすることが可能な投影装置、投影装置の制御方法及びプログラムを提供することにある。
【課題を解決するための手段】
【０００５】
請求項１記載の発明は、光源となる発光素子と、上記発光素子からの光を用いて光像を形成し、投影対象に向けて照射する投影手段と、上記発光素子の累積点灯時間を更新記憶する時間記憶手段と、上記発光素子の経時変化を示す指標情報を検出する検出手段と、投影動作停止時に上記検出手段で検出した指標情報を記憶する指標記憶手段と、上記検出手段で検出する指標情報と、上記記憶手段で記憶した指標情報とを比較し、その比較結果と予め用意される所定値との関係から上記発光素子の交換を判断する判断手段と、上記判断手段での判断結果により上記時間記憶手段の記憶内容をリセットする記憶制御手段とを具備したことを特徴とする。
【０００６】
請求項２記載の発明は、上記請求項１記載の発明において、上記検出手段は、上記発光素子の経時変化を示す指標情報として発光素子の発光輝度を検出することを特徴とする。
【０００７】
請求項３記載の発明は、上記請求項１記載の発明において、上記検出手段は、上記発光素子の経時変化を示す指標情報として発光素子の駆動電流を検出することを特徴とする。
【０００８】
請求項４記載の発明は、上記請求項１記載の発明において、上記検出手段は、上記発光素子の経時変化を示す指標情報として発光素子の駆動電圧を検出することを特徴とする。
【０００９】
請求項５記載の発明は、光源となる発光素子と、上記発光素子からの光を用いて光像を形成し、投影対象に向けて照射する投影部とを備えた投影装置の制御方法であって、上記発光素子の累積点灯時間を更新記憶する時間記憶工程と、上記発光素子の経時変化を示す指標情報を検出する検出工程と、投影動作停止時に上記検出工程で検出した指標情報を記憶する指標記憶工程と、上記検出工程段で検出する指標情報と、上記記憶工程で記憶した指標情報とを比較し、その比較結果と予め用意される所定値との関係から上記発光素子の交換を判断する判断工程と、上記判断工程での判断結果により上記時間記憶工程で記憶内容をリセットする記憶制御工程とを有したことを特徴とする。
【発明の効果】
【００１０】
本発明によれば、消耗部品である発光素子の交換時にユーザによる煩雑なスイッチ操作等を不要とすることが可能となる。
【発明を実施するための最良の形態】
【００１１】
（第１の実施形態）  
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の第１の実施形態について図面を参照して説明する。
【００１２】
図１は、同実施形態に係るデータプロジェクタ装置１０が備える電子回路の機能構成を示すブロック図である。  
同図で、１１はデータプロジェクタ装置１０の本体ケーシング背面側に設けられる入出力コネクタ部であり、例えばピンジャック（ＲＣＡ）タイプのビデオ入力端子、Ｄ−ｓｕｂ１５のＲＧＢ入力端子、及びＵＳＢ端子からなる。
【００１３】
入出力コネクタ部１１より入力される各種規格の画像信号は、入出力インタフェース（Ｉ／Ｆ）１２、システムバスＳＢを介して画像変換部１３に送られる。画像変換部１３は、一般にスケーラとも称されるもので、送られてきた画像信号に対して解像度数、階調数等を含む所定のフォーマットの画像信号に統一した後に、投影画像処理部１４へ送る。
【００１４】
この際、ＯＳＤ（Ｏｎ  Ｓｃｒｅｅｎ  Ｄｉｓｐｌａｙ）用の文字画像やポインタ等の記号も必要に応じて画像信号上に重畳加工された状態で投影画像処理部１４へ送られる。
【００１５】
投影画像処理部１４は、送られてきた画像信号をビデオＲＡＭ１５に展開して記憶させた上でこのビデオＲＡＭ１５の記憶内容からビデオ信号を生成する。
【００１６】
投影画像処理部１４は、このビデオ信号のフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００１７】
このマイクロミラー素子１６は、アレイ状に配列された複数、例えばＸＧＡ（横１０２４×縦７６８ドット）分の微小ミラーの各傾斜角度を個々に高速でオン／オフ動作制御することでその反射光により光像を形成する。
【００１８】
一方で、リフレクタ１７内に配置された、例えば発光素子である高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００１９】
そして、マイクロミラー素子１６での反射光で光像が形成され、形成された光像が投影レンズユニット２２を介して、投影対象となるここでは図示しないスクリーンに投影表示される。
【００２０】
上記投影レンズユニット２２は、合焦位置及びズーム位置（投影画角）を任意に可変できるものとする。すなわち、投影レンズユニット２２を構成する複数の光学レンズ中、図示しないフォーカスレンズ及びズームレンズはそれぞれ光軸方向に沿って前後に移動することで制御されるもので、それらレンズはステッピングモータ（Ｍ）２３の回動駆動により移動する。
【００２１】
また、上記リフレクタ１７の光源ランプ１８近傍に、光源ランプ１８の温度を検出するための温度センサ２４が設けられる一方で、リフレクタ１７の開口側に光源ランプ１８での発光輝度を検出する輝度センサ２５が設けられる。
【００２２】
そして、上記光源ランプ１８の点灯駆動、上記カラーホイール１９用のモータ（Ｍ）２６の回転駆動、上記ステッピングモータ２３の回動駆動、上記温度センサ２４での検出処理、及び上記輝度センサ２５の検出処理をいずれも投影光処理部２７が実行する。
【００２３】
投影光処理部２７はまた、必要に応じて光源ランプ１８の点灯駆動と同時に光源ランプ１８に流れる電流値の検出及び光源ランプ１８に印加する電圧値の制御も併せて実行し、光源ランプ１８での発光輝度が設定された値以上となるように維持する。
【００２４】
上記各回路の動作すべてをＣＰＵ２８が制御する。このＣＰＵ２８は、ＤＲＡＭで構成されたメインメモリ２９、動作プログラムや各種定型データ等を記憶した電気的書換可能な不揮発性メモリでなるプログラムメモリ３０を用いてこのデータプロジェクタ装置１０内の制御動作を実行する。
【００２５】
上記ＣＰＵ２８は、操作部３１からのキー操作信号に応じて各種投影動作を実行する。この操作部３１は、データプロジェクタ装置１０の本体に設けられるキー操作部と、このデータプロジェクタ装置１０専用の図示しないリモートコントローラからの赤外光を受信するレーザ受光部を含み、ユーザが直接またはリモートコントローラを介して操作したキーに基づくキー操作信号をＣＰＵ２８へ直接出力する。
【００２６】
なお、上記プログラムメモリ３０は、動作プログラムや各種定型データ等の固定的なデータの以外に、上記光源ランプ１８の累積点灯時間や前回の投影停止時の光源ランプ１８の発光輝度等を記憶しており、その内容はこのデータプロジェクタ装置１０の使用毎にＣＰＵ２８により更新記憶させる。
【００２７】
上記ＣＰＵ２８はさらに、上記システムバスＳＢを介して音声処理部３２と接続される。
【００２８】
音声処理部３２は、ＰＣＭ音源等の音源回路を備え、投影動作時に与えられる音声データをアナログ化し、スピーカ部３３を駆動して拡声放音する一方で、必要によりビープ音等を発生させる。
【００２９】
次に上記実施形態の動作について説明する。  
図２は、操作部３１の電源キーを操作して電源を投入してから後の特に光源ランプ１８に関する処理内容を抽出して示すものである。この図２で示す動作制御は、すべてＣＰＵ２８がプログラムメモリ３０に記憶された動作プログラムを読出してメインメモリ２９に展開しながら実行する。
【００３０】
電源投入当初には、まず投影光処理部２７により光源ランプ１８に通電させて点灯させた後（ステップＳ１０１）、光源ランプ１８での温度が上昇して発光輝度が安定するまでの一定時間、例えば１８０秒間をウォームアップ時間として待機する（ステップＳ１０２）。
【００３１】
ウォームアップが終了して光源ランプ１８での発光輝度が安定した後、あらためて光源ランプ１８での発光輝度Ｂｎを輝度センサ２５により取得する（ステップＳ１０３）。
【００３２】
この現時点での発光輝度Ｂｎが、予め光源ランプ１８の使用限界を示す数値として固定的に設定されている光源ランプ１８の最低発光輝度Ｂｌｗｒより大きいか否かを判断することにより、光源ランプ１８が使用限界を越えているか否かを判断する（ステップＳ１０４）。
【００３３】
ここで、現時点の発光輝度Ｂｎが最低発光輝度Ｂｌｗｒ以下であると判断した場合には、充分な発光輝度での投影動作を行なうことができないものとして、光源ランプ１８の交換を促す警告メッセージを、例えば  
「光源のランプが寿命です  
新しいランプに交換して下さい  
装置の電源を一定時間後に自動で切ります」  
のように音声処理部３２を介してスピーカ部３３により音声で出力する（ステップＳ１０５）。
【００３４】
このとき、併せて同様の内容の文字メッセージを画像化してマイクロミラー素子１６で表示し、投影レンズユニット２２より投影対象のスクリーンに投影するものとしてもよい。しかしながら、光源ランプ１８の発光輝度が使用限界未満となっている状態下では、光源ランプ１８が全く発光していない事態も考えられるので、このデータプロジェクタ装置１０のユーザに光源ランプ１８の交換を確実に促す手段としては必ずしも有効ではない。
【００３５】
その後、電源切断処理として投影光処理部２７により光源ランプ１８への通電を停止させ、光源ランプ１８を消灯させる（ステップＳ１１４）。さらに、光源ランプ１８を含む主として投影系の各部材の冷却を一定時間行なうアフタークーリング処理を実行し（ステップＳ１１５）、以上でこの図２の処理を終了するとともに、データプロジェクタ装置１０の電源を自動的に切断する。
【００３６】
また、上記ステップＳ１０４で現時点の発光輝度Ｂｎが最低発光輝度Ｂｌｗｒより大きいと判断した場合には、少なくとも最低限の発光輝度が確保されているものとして、次にプログラムメモリ３０からそれまでの光源ランプ１８の累積点灯時間Ｔｌｍｐと前回の投影停止時の光源ランプ１８の発光輝度Ｂｌｓｔとを読出す（ステップＳ１０６）。
【００３７】
そして、現時点の発光輝度Ｂｎから読出した前回の発光輝度Ｂｌｓｔを減算した差が予め設定される輝度しきい値Ｂｔｈｒを越えているか否かにより、今回の電源投入が光源ランプ１８を新しいものと交換した後の一回目の電源投入であるか否かを判断する（ステップＳ１０７）。
【００３８】
ここで、現時点の発光輝度Ｂｎと前回の発光輝度Ｂｌｓｔとの差が輝度しきい値Ｂｔｈｒ以下である場合には、光源ランプ１８の直前での交換はなかったものと判断し、次に読出した光源ランプ１８の累積点灯時間Ｔｌｍｐが、予め設定される同ランプの累積点灯時間の推奨限界Ｔｔｈｒを越えているか否かにより、光源ランプ１８の交換を推奨するか否かを判断する（ステップＳ１０８）。
【００３９】
このとき現時点の光源ランプ１８の累積点灯時間Ｔｌｍｐが、予め設定される同ランプの累積点灯時間の推奨限界Ｔｔｈｒを越えていると判断した場合にのみ、光源ランプ１８の交換を推奨するガイドメッセージを、例えば  
「光源のランプがそろそろ寿命です  
新しいランプを御用意下さい」  
のような文字メッセージで画像化してマイクロミラー素子１６で一定時間、例えば５秒間だけ表示し、投影レンズユニット２２より投影対象のスクリーンに投影することで、新しい交換用の光源ランプ１８の入手をユーザに推奨しておく。
【００４０】
その後、通常の投影動作に移行し、入出力コネクタ部１１より入力される画像データに応じたマイクロミラー素子１６での画像形成と投影レンズユニット２２による投影とを実行しながら、同時にプログラムメモリ３０に記憶する光源ランプ１８の累積点灯時間Ｔｌｍｐの内容を更新記憶し続ける（ステップＳ１１１）。
【００４１】
合わせて、操作部３１より電源キーの操作により電源を切断するための指示がなされたか否かを判断し（ステップＳ１１２）、まだ電源キーが操作されていなければ、再び上記ステップＳ１１１からの処理に戻る。
【００４２】
以上の処理を繰返し実行することで、光源ランプ１８の累積点灯時間Ｔｌｍｐの内容を更新し続けながら通常の投影動作を実行していく。
【００４３】
そして、操作部３１の電源キーが操作されると上記ステップＳ１１２でそれを判断し、その時点での光源ランプ１８の発光輝度を輝度センサ２５より取得して新たな発光輝度Ｂｌｓｔとしてプログラムメモリ３０に記憶させた後（ステップＳ１１３）、電源切断処理として上記ステップＳ１１４からの処理に移行する。
【００４４】
さらに、上記ステップＳ１０７で現時点の発光輝度Ｂｎと前回の発光輝度Ｂｌｓｔとの差が輝度しきい値Ｂｔｈｒより大きく、今回の電源投入が光源ランプ１８を新しいものと交換した後の一回目の電源投入であると判断した場合には、プログラムメモリ３０で更新記憶している光源ランプ１８の累積点灯時間Ｔｌｍｐの内容をリセットした後に（ステップＳ１１０）、上記ステップＳ１１１からの通常の投影動作に移行する。
【００４５】
以上のように本実施形態によれば、消耗部品である光源ランプ１８の交換時にユーザによる煩雑なスイッチ操作等を強要することなく、光源ランプ１８の累積点灯時間を自動的にリセットすることができるため、ユーザの使い勝手を向上するとともに、より確実且つ正確に消耗部品である光源ランプ１８の管理を行なうことができる。
【００４６】
加えて、上記実施形態では、光源ランプ１８の経時変化を示す指標情報として光源ランプ１８に近設配置した輝度センサ２５により発光輝度を検出するものとしたので、光源ランプ１８が累積点灯時間の推奨限界Ｔｔｈｒを越えた後もまだ最低発光輝度Ｂｌｗｒより大きい発光輝度を保っており、実用に供することができる間は無闇に使用不可能と判断してしまうことがないため、高価な光源ランプ１８の交換を現実に即したタイミングで行なうことができ、ユーザが負担するこのデータプロジェクタ装置１０のランニングコストを最少限に抑えることができる。
【００４７】
（第２の実施形態）  
以下本発明をＤＬＰ方式のデータプロジェクタ装置に適用した場合の第２の実施形態について図面を参照して説明する。  
なお、本実施形態に係るデータプロジェクタ装置１０′が備える電子回路の機能構成に関しては、基本的に上記図１で示した内容と同様であるため、同一部分には同一符号を用いることにしてその図示と説明とを省略する。
【００４８】
但し、光源ランプ１８の発光輝度を検出する輝度センサ２５は存在せず、またプログラムメモリ３０には光源ランプ１８の最低発光輝度Ｂｌｗｒに代えて、最大駆動電圧Ｖｕｐｒ及び最小駆動電流Ｉｌｗｒが記憶されているものとする。
【００４９】
次に上記実施形態の動作について説明する。  
図３は、操作部３１の電源キーを操作して電源を投入してから後の特に光源ランプ１８に関する処理内容を抽出して示すものである。この図２で示す動作制御は、すべてＣＰＵ２８がプログラムメモリ３０に記憶された動作プログラムを読出してメインメモリ２９に展開しながら実行する。
【００５０】
電源投入当初には、まず投影光処理部２７により光源ランプ１８に通電させて点灯させた後（ステップＳ２０１）、光源ランプ１８での温度が上昇して発光輝度が安定するまでの一定時間、例えば１８０秒間をウォームアップ時間として待機する（ステップＳ２０２）。
【００５１】
ウォームアップが終了して光源ランプ１８での発光輝度が安定した後、あらためて光源ランプ１８の駆動電圧Ｖｎ（または駆動電流Ｉｎ）を投影光処理部２７により取得する（ステップＳ２０３）。
【００５２】
図４は、このデータプロジェクタ装置１０で使用する光源ランプ１８の新品状態からの累積点灯時間に対する駆動電圧及び駆動電流の変化特性を例示する図である。図示する如く、駆動電圧は累積点灯時間が経過して劣化するのに連れて高くなる一方で、反対に駆動電流は、累積点灯時間が経過して劣化するのに連れて小さくなることが理解できる。
【００５３】
本実施形態では、図中に示すように光源ランプ１８の使用限界を示す数値として最大駆動電圧Ｖｕｐｒと最小駆動電流Ｉｌｗｒを設定し、その数値をプログラムメモリ３０に予め記憶しているものとする。
【００５４】
図３の処理では、上記ステップＳ２０３で現時点での駆動電圧Ｖｎ（または駆動電流Ｉｎ）を取得した後、この現時点での駆動電圧Ｖｎ（または駆動電流Ｉｎ）が、予め光源ランプ１８の使用限界を示す数値として固定的に設定されている光源ランプ１８の最大駆動電圧Ｖｕｐｒ（または最小駆動電流Ｉｌｗｒ）より低いか（大きいか）否かを判断することにより、光源ランプ１８が使用限界を越えているか否かを判断する（ステップＳ２０４）。
【００５５】
ここで、駆動電圧Ｖｎ（または駆動電流Ｉｎ）が最大駆動電圧Ｖｕｐｒ（または最小駆動電流Ｉｌｗｒ）より高い（小さい）と判断した場合には、充分な発光輝度での投影動作を行なうことができないものとして、光源ランプ１８の交換を促す警告メッセージを、例えば  
「光源のランプが寿命です  
新しいランプに交換して下さい  
装置の電源を一定時間後に自動で切ります」  
のように音声処理部３２を介してスピーカ部３３により音声で出力する（ステップＳ２０５）。
【００５６】
このとき、併せて同様の内容の文字メッセージを画像化してマイクロミラー素子１６で表示し、投影レンズユニット２２より投影対象のスクリーンに投影するものとしてもよい。しかしながら、光源ランプ１８の発光輝度が使用限界未満となっている状態下では、光源ランプ１８が全く発光していない事態も考えられるので、このデータプロジェクタ装置１０のユーザに光源ランプ１８の交換を確実に促す手段としては必ずしも有効ではない。
【００５７】
その後、電源切断処理として投影光処理部２７により光源ランプ１８への通電を停止させ、光源ランプ１８を消灯させる（ステップＳ２１４）。さらに、光源ランプ１８を含む主として投影系の各部材の冷却を一定時間行なうアフタークーリング処理を実行し（ステップＳ２１５）、以上でこの図３の処理を終了するとともに、データプロジェクタ装置１０の電源を自動的に切断する。
【００５８】
また、上記ステップＳ２０４で現時点での駆動電圧Ｖｎ（または駆動電流Ｉｎ）が最大駆動電圧Ｖｕｐｒ（または最小駆動電流Ｉｌｗｒ）より低い（大きい）と判断した場合には、次にプログラムメモリ３０からそれまでの光源ランプ１８の累積点灯時間Ｔｌｍｐと前回の投影停止時の光源ランプ１８の駆動電圧Ｖｌｓｔ（または駆動電流Ｉｌｓｔ）を読出す（ステップＳ２０６）。
【００５９】
そして、前回の駆動電圧Ｖｌｓｔから現時点の駆動電圧Ｖｎを減算した差（または現時点での駆動電流Ｉｎから前回の駆動電流Ｉｌｓｔを減算した差）が予め設定される電圧しきい値Ｖｔｈｒ（または電流しきい値Ｉｔｈｒ）を越えているか否かにより、今回の電源投入が光源ランプ１８を新しいものと交換した後の一回目の電源投入であるか否かを判断する（ステップＳ２０７）。
【００６０】
ここで、前回の駆動電圧Ｖｌｓｔと現時点の駆動電圧Ｖｎとの差（または現時点の駆動電流Ｉｎと前回の駆動電流Ｉｌｓｔとの差）が電圧しきい値Ｖｔｈｒ（または電流しきい値Ｉｔｈｒ）以下である場合には、光源ランプ１８の直前での交換はなかったものと判断し、次に、読出した光源ランプ１８の累積点灯時間Ｔｌｍｐが、予め設定される同ランプの累積点灯時間の推奨限界Ｔｔｈｒを越えているか否かにより、光源ランプ１８の交換を推奨するか否かを判断する（ステップＳ２０８）。
【００６１】
このとき現時点の光源ランプ１８の累積点灯時間Ｔｌｍｐが、予め設定される同ランプの累積点灯時間の推奨限界Ｔｔｈｒを越えていると判断した場合にのみ、光源ランプ１８の交換を推奨するガイドメッセージを、例えば  
「光源のランプがそろそろ寿命です  
新しいランプを御用意下さい」  
のような文字メッセージで画像化してマイクロミラー素子１６で一定時間、例えば５秒間だけ表示し、投影レンズユニット２２より投影対象のスクリーンに投影することで、新しい交換用の光源ランプ１８の入手をユーザに推奨しておく。
【００６２】
その後、通常の投影動作に移行し、入出力コネクタ部１１より入力される画像データに応じたマイクロミラー素子１６での画像形成と投影レンズユニット２２による投影とを実行しながら、同時にプログラムメモリ３０に記憶する光源ランプ１８の累積点灯時間Ｔｌｍｐの内容を更新記憶し続ける（ステップＳ２１１）。
【００６３】
合わせて、操作部３１より電源キーの操作により電源を切断するための指示がなされたか否かを判断し（ステップＳ２１２）、まだ電源キーが操作されていなければ、再び上記ステップＳ２１１からの処理に戻る。
【００６４】
以上の処理を繰返し実行することで、光源ランプ１８の累積点灯時間Ｔｌｍｐの内容を更新し続けながら通常の投影動作を実行していく。
【００６５】
そして、操作部３１の電源キーが操作されると上記ステップＳ２１２でそれを判断し、その時点での光源ランプ１８の駆動電圧Ｖｎを投影光処理部２７より取得して新たな駆動電圧Ｖｌｓｔとしてプログラムメモリ３０に記憶させた後（ステップＳ２１３）、電源切断処理として上記ステップＳ２１４からの処理に移行する。
【００６６】
さらに、上記ステップＳ２０７で前回の駆動電圧Ｖｌｓｔと現時点の駆動電圧Ｖｎとの差（または現時点の駆動電流Ｉｎと前回の駆動電流Ｉｌｓｔとの差）が電圧しきい値Ｖｔｈｒ（または電流しきい値Ｉｔｈｒ）より大きく、今回の電源投入が光源ランプ１８を新しいものと交換した後の一回目の電源投入であると判断した場合には、プログラムメモリ３０で更新記憶している光源ランプ１８の累積点灯時間Ｔｌｍｐの内容をリセットした後に（ステップＳ２１０）、上記ステップＳ２１１からの通常の投影動作に移行する。
【００６７】
以上のように本実施形態によれば、上記第１の実施形態のような検出素子としての輝度センサ２５を必要とせず、光源ランプ１８を点灯駆動する投影光処理部２７が、その駆動電圧値あるいは駆動電流値を随時検出することで、実際に光源ランプ１８の交換が必要なタイミングを正確に判断することができるため、データプロジェクタ装置１０の構成を複雑化することなく、光源ランプ１８の劣化度合を正確に判断することができる。
【００６８】
なお、上記第１及び第２の実施形態はいずれも、プロジェクタ装置１０としてＤＬＰ（登録商標）方式のプロジェクタ装置に適用した場合について説明したが、本発明は投影装置としてのプロジェクタ方式等を限定するものではなく、例えば透過型のカラー液晶パネルを表示素子として投影動作を実行する液晶方式のプロジェクタ装置、あるいはリアプロジェクション方式のテレビ受像機、オーバー・ヘッド・プロジェクタ（ＯＨＰ）やスライド映写機等、消耗部品である光源ランプを交換し、その累積点灯時間を把握する必要がある投影装置であれば同様に適用することが可能である。
【００６９】
また、上記第１及び第２の実施形態での、光源ランプ１８の交換を促す警告メッセージや光源ランプ１８の交換を推奨するガイドメッセージ等は、プロジェクタ装置１０に液晶表示部など表示デバイスを備えていれば、そこにメッセージを表示するようにしても良い。
【００７０】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００７１】
【図１】本発明の第１の実施形態に係るデータプロジェクタ装置の電子回路の機能構成を示すブロック図。
【図２】同実施形態に係る電源投入時の特に光源ランプに関する処理内容を示すフローチャート。
【図３】本発明の第２の実施形態に係る電源投入時の特に光源ランプに関する処理内容を示すフローチャート。
【図４】同実施形態に係る光源ランプ交換後の累積点灯時間に対する駆動電圧及び駆動電流の変化特性を例示する図。
【符号の説明】
【００７２】
１０，１０′…データプロジェクタ装置、１１…入出力コネクタ部、１２…入出力インタフェース（Ｉ／Ｆ）、１３…画像変換部、１４…投影画像処理部、１５…ビデオＲＡＭ、１６…マイクロミラー素子（ＳＯＭ）、１７…リフレクタ、１８…光源ランプ、１９…カラーホイール、２０…インテグレータ、２１…ミラー、２２…投影レンズユニット、２３…ステッピングモータ（Ｍ）、２４…温度センサ、２５…輝度センサ、２６…モータ（Ｍ）、２７…投影光処理部、２８…ＣＰＵ、２９…メインメモリ、３０…プログラムメモリ、３１…操作部、３２…音声処理部、３３…スピーカ部、ＳＢ…システムバス。
【図１】
2009223230.tif 000003
【図２】
2009223230.tif 000004
【図３】
2009223230.tif 000005
【図４】
2009223230.tif 000006